(57)【要約】【課題】屋根の屋内側を断熱する際に、梁に硬質プラスチック系断熱材を取り付けて合理化する。【解決手段】天井裏を構成する梁１，２で囲まれた空間Ａ，Ｂに、所定の間隔で下地材１０を配置して固定し、この下地材１０の下面側に硬質プラスチック系の断熱材１２を取り付ける。特に、下地材１０の下面に複数層の断熱材１２を取り付け、各層の断熱材１２の継目２１を互いに異なる位置に設定する。固定金具１１を、下地材１０を取り付ける上部片１１ａと、上部片１１ａに並行な指示片１１ｂと、上部片１１ａと指示片１１ｂを接続すると共に梁１，２に固定される固定片１１ｃを有して構成される。【選択図】　　　　　　　　図１
2004076317.tif 000002
【特許請求の範囲】
【請求項１】
天井裏を構成する鉄骨梁で囲まれた空間に、所定の間隔で断熱材を固定する下地材を配置して固定し、前記下地材の下面側に硬質プラスチック系断熱材を取り付けたことを特徴とする天井の断熱構造。
【請求項２】
前記下地材の下面に少なくとも２層に硬質プラスチック系断熱材を取り付けると共に、各層を構成する硬質プラスチック系断熱材の接続部を互いに異なる位置に設定することを特徴とする請求項１に記載した天井の断熱構造。
【請求項３】
前記下地材の下面に硬質プラスチック系断熱材を取り付けると共に、該硬質プラスチック系断熱材の下側に於ける鉄骨梁の露出部分を断熱材によって覆うことを特徴とする請求項１又は２に記載した天井の断熱構造。
【請求項４】
天井裏を構成する鉄骨梁で囲まれた空間に所定の間隔で断熱材を固定する下地材を鉄骨梁に固定する固定金物であって、下地材を取り付ける上部片と、前記上部片の下方であって且つ該上部片に並行して配置されて上部片の位置を指示する指示片と、前記上部片と指示片を予め設定された間隔を持って接続すると共に鉄骨梁に固定される固定片と、を有することを特徴とする固定金具。
【発明の詳細な説明】
【０００１】
【発明の属する技術分野】
本発明は、天井の断熱性能を向上させることが出来る断熱構造と、この断熱構造を実現するのに有利な固定金具に関するものである。
【０００２】
【従来の技術】
住宅では、建物の屋根に沿って屋内側に断熱層を形成するのが一般的である。鉄骨躯体を有する住宅では、屋根を構成する梁下に形成された空間に繊維系断熱材を充填した後、下面（室内側の面）をポリエチレンシート等の気密シートで覆うことで、断熱層と気密層を形成している。
【０００３】
即ち、図８に示すように、最上階の屋根に対応するＨ形鋼からなる梁５１には屋根用のパネル５２が載置されており、且つ梁５１の下方には所定の間隔を持って複数の野縁５３が設けられている。この野縁５３の上部であって梁５１の下フランジ５１ａよりも下方にグラスウール等の繊維系の断熱材５４が充填されている。更に、断熱材５４の室内側の面には気密シート５５が配置されると共に、気密シート５５の屋内側の面には石膏ボード５６が配置され、これらの気密シート５５及び石膏ボード５６が野縁５３に取り付けられている。
【０００４】
一方、断熱材として気密性を持った硬質プラスチック系断熱材が提供されており、この硬質プラスチック系断熱材を外壁及び、又は屋根に沿って屋内側に配置して断熱層を形成すると共に、該硬質プラスチック系断熱材の更に屋内側の面に沿って気密処理することで、住宅に断熱性と気密性を付与して居住性を向上させ、且つ省エネルギー化を実現し得るようになっている。
【０００５】
【発明が解決しようとする課題】
屋根の屋内側には、住宅の耐久性を向上させるために通気層を設けることが必要であるが、繊維系の断熱材では厚さが厚くなって断熱材の下面の位置を梁の下端レベル以下にせざるを得ないため、天井仕上げ面と断熱材下面との間に設備配管や配線を行うのに充分な空間を確保することが困難であるという問題があり、特に、屈曲し難い給水給湯用のさや管を敷設したり、天井内に張り出しの大きいダウンライトを取り付けるような場合に著しい制限となっている。
【０００６】
上記問題は、梁と梁の間に形成された空間に高性能硬質プラスチック系断熱材を配置することで解決し得る。しかし、梁と梁の間に形成された空間に硬質プラスチック系断熱材を固定する手段が解決されていないため、結局梁の上側に載置するか、下側に吊り下げているのが現状である。
【０００７】
本発明の目的は、天井を構成する隣接する梁の間に硬質プラスチック系断熱材を取り付けて合理的な断熱構造を提供すると共に、該断熱構造を構成するのに有利な固定金具を提供することにある。
【０００８】
【課題を解決するための手段】
上記課題を解決するために本発明に係る天井の断熱構造は、天井裏を構成する鉄骨梁で囲まれた空間に、所定の間隔で断熱材を固定する下地材を配置して固定し、前記下地材の下面側に硬質プラスチック系断熱材を取り付けたものである。
【０００９】
上記天井の断熱構造では、天井に対応して構成された鉄骨梁（梁）で囲まれた空間に複数の下地材を所定の間隔で配置すると共に、梁を構成する鉄骨或いは屋根を構成する屋根パネルに固定し、この下地材の下面側に硬質プラスチック系断熱材を取り付けることによって、屋根パネルの屋内側の面に通気層を形成することが出来る。
【００１０】
また高い断熱性能を有する硬質プラスチック系断熱材を用いることで、厚さが薄くとも要求された断熱性能を満足させることが出来、これにより、下地材の下面側に取り付けた硬質プラスチック系断熱材の面を梁の下端レベルよりも高く設定することが出来る。従って、天井裏に於ける設備配管や配線を容易に施工することが出来る。
【００１１】
上記天井の断熱構造に於いて、下地材の下面に少なくとも２層に硬質プラスチック系断熱材を取り付けると共に、各層を構成する硬質プラスチック系断熱材の接続部を互いに異なる位置に設定することが好ましい。天井の断熱構造をこのように構成することによって、硬質プラスチック系断熱材の接続部である継目が断熱層の厚さ方向に貫通することがない。このため、良好な断熱性を保持すると共に気密性を保持し易くすることが出来る。
【００１２】
上記天井の断熱構造に於いて、下地材の下面に硬質プラスチック系断熱材を取り付けると共に、該断熱材の下側に於ける鉄骨梁の露出部分を断熱材によって覆うことが好ましい。天井の断熱構造をこのように構成することによって、厚さの薄い硬質プラスチック系断熱材の下面を梁の下端レベルよりも上方になるように取り付けた場合であっても、天井の断熱性を確保することが出来る。
【００１３】
また本発明に係る固定金具は、天井裏を構成する鉄骨梁で囲まれた空間に所定の間隔で断熱材を固定する下地材を鉄骨梁に固定する固定金物であって、下地材を取り付ける上部片と、前記上部片の下方であって且つ該上部片に並行して配置されて上部片の位置を指示する指示片と、前記上部片と指示片を予め設定された間隔を持って接続すると共に鉄骨梁に固定される固定片とを有して構成されるものである。
【００１４】
上記固定金具では、上部片と指示片を固定片によって接続したコ字状に形成されるので、固定片を平行に配置された梁のウエブに於ける対向する位置に固定したとき、一方の梁に取り付けた固定金具の上部片と指示片が並行して突出し、これらの上部片と指示片が対向する。
【００１５】
このため、対向する２つの上部片に木製の下地材を渡して固定することが出来る。従って、複数の固定金具を所定の間隔を持って梁に取り付けて下地材を渡し、この下地材に対し下側から硬質プラスチック系断熱材を取り付けることで、天井の断熱構造を実現することが出来る。
【００１６】
特に、下地材の下側面に硬質プラスチック系断熱材を当接したとき、該下地材が硬質プラスチック系断熱材に隠されて釘やビスを打ち込む位置が判明しないが、指示片が上部片と並行に形成されるため、該指示片の上方に釘やビスを打ち込むことで正確に固定することが出来る。更に、指示片の長さや強度を適宜設定しておくことで、該指示片によって天井裏に設置する設備配管や配線を支持することが出来る。
【００１７】
【発明の実施の形態】
以下、本発明に係る天井の断熱構造の好ましい実施形態について説明する。本発明は、硬質プラスチック系断熱材（以下、単に「断熱材」という）を用いることによって、天井、特に最上階の天井と屋根の間を効果的に断熱することを実現したものであり、且つ前記断熱材を梁に取り付ける際に、下地材を梁に固定することが容易で、更に下地材に断熱材を当接させたとき、該断熱材の下方から下地材の位置を指示して断熱材の取付作業を確実に且つ円滑に行えるようにしたものである。
【００１８】
住宅の天井を構成する鉄骨梁は、建物の外周及びその内側に縦横に配置され、これらの梁によって囲まれた空間が天井裏に形成される。このような梁の形状は特に限定するものではない。一般に、住宅の鉄骨躯体では、梁は上下フランジとウエブからなるＨ形鋼によって形成される。そして上フランジに屋根用のパネルが敷き並べられると共に固定されることで屋根スラブが構成される。
【００１９】
屋根の構造は特に限定するものではなく、屋根スラブの上部に屋根材を施工した陸屋根や、勾配屋根等の屋根に対して適用することが可能である。また屋根スラブを構成する屋根パネルは、軽量気泡コンクリート（ＡＬＣ）パネルや、コンクリートパネルを利用することが可能であるが、軽量で断熱性が優れていることからＡＬＣパネルを利用することが好ましい。
【００２０】
梁を構成するウエブには複数の通気用の穴が形成されており、該穴によって梁に囲まれた空間の通気性を確保している。従って、梁で囲まれた空間に断熱材を配置したとき、該断熱材によって前記穴を塞ぐことを防止することで、屋根裏に沿った部分に於ける通気性を確保することが可能となる。
【００２１】
下地材は、梁で囲まれた空間に所定の間隔を持って複数配置され、下面側に断熱材を取り付ける機能を有するものであり、この機能を有するものであれば、形状や構造に関わらず利用することが可能である。このような下地材としては断熱材を固定する際に用いる釘やビス或いはタッピングネジ等の固定具の種類に応じて適宜選択することが可能である。従って、下地材としては木製の角材や合成樹脂材等を利用することが可能である。
【００２２】
下地材を配置する際の間隔は断熱材の長さや強度に応じて設定される。即ち、断熱材が高い強度を有する場合、下地材は断熱材の長さ方向に対応させて１枚の断熱材毎に２箇所程度設けることで、該断熱材を安定した状態で保持することが可能である。
【００２３】
下地材を梁で囲まれた空間に配置したとき、該下地材を固定する部位は限定するものではなく、梁のフランジ、梁のウエブ、或いは梁に載置した屋根用のパネルの下面等を利用して固定することが可能である。下地材を屋根用のパネルに固定する場合、釘やビス等によって直接取り付けることが可能である。また下地材を梁のウエブに固定する場合、下地材を取り付ける片とウエブに固定する片からなるＬ字状の部材を利用することが可能である。
【００２４】
断熱材としては、硬質プラスチック系の断熱材であれば材料を特に限定するものではない。このような断熱材として、硬質ウレタンフォームや押出発泡ポリスチレン或いはフェノール樹脂発泡体等の成形体や発泡体を含む断熱材があり、何れも好ましく利用することが可能である。
【００２５】
例えば、硬質ウレタンフォームや押出発泡ポリスチレンでは、厚さを選択することによって、住宅として充分な断熱性能と気密性能を発揮させることが可能である。
【００２６】
しかし、硬質ウレタンフォームでは、経時的な断熱性能の低下や、火災時に爆燃性を有することや有毒ガスを発生するという課題を有し、発泡ポリスチレンでは、耐薬品性に劣るため、気密処理材が限定されることや燃え易いという課題も有する。
【００２７】
またフェノール樹脂発泡体からなる断熱材としては、本件出願人が開発して既に国際出願（特願２０００−５５８１５８）した技術（ネオマフォーム（登録商標））があり、断熱材として好ましく使用することが可能で、且つ気密材としても好ましく使用することが可能である。
【００２８】
上記技術に係るフェノール樹脂発泡体は、フェノール樹脂基体部と、多数の微細気泡から形成される気泡部とを有する密度が１０ｋｇ／ｍ３〜１００ｋｇ／ｍ３のフェノールフォームであり、前記微細気泡が炭化水素を含有し且つ平均気泡径が５μｍ〜２００μｍの範囲にあり、大部分の微細気泡の気泡壁が滑らかなフェノール樹脂基体面で構成されている。そして、発泡剤が炭化水素であるにも関わらず、従来のフロン系発泡剤と遜色のない熱伝導率を持ち、且つ熱伝動率の経時的な変化もなく、圧縮強度等の機械的強度に優れ、脆性が改善される。
【００２９】
上記フェノール樹脂発泡体では、高い断熱性と気密性を有し、且つこれらの性能を長期間維持し得る性質を有している。フェノール樹脂発泡体に於ける断熱性は、気泡径が５μｍ〜２００μｍの範囲、好ましくは１０μｍ〜１５０μｍと小さく、且つ独立気泡率を８０％以上と高く保持することによって確保することが可能である。またフェノール樹脂発泡体は高い耐燃焼性を有しており、火炎が作用したとき、表面が炭化することで、着火することがなく、且つガスが発生することがない。
【００３０】
例えば、フェノール樹脂発泡体の密度を２７ｋｇ／ｍ３に設定した場合、２０℃に於ける熱伝動率は０．０２Ｗ／ｍ・Ｋであり、圧縮強さは１５Ｎ／ｃｍ２、熱変形温度は２００℃である。前記フェノール樹脂発泡体の性能は、押出発泡ポリスチレン３種が熱伝動率；０．０２８Ｗ／ｍ・Ｋ、圧縮強さ；２０Ｎ／ｃｍ２、熱変形温度；８０℃であることや、硬質ウレタンフォーム２種が熱伝動率；０．０２４Ｗ／ｍ・Ｋ、圧縮強さ；８Ｎ／ｃｍ２、熱変形温度；１００℃であることと比較して充分に高い性能を有する。
【００３１】
このため、フェノール樹脂発泡体からなる断熱材では、従来の押出発泡ポリスチレンや硬質ウレタンフォームの約２／３程度の厚さで略同等の断熱性能を発揮することが可能である。
【００３２】
またフェノール樹脂発泡体は、比較的脆い材料であるため、少なくとも片面にクラフト紙や不織布からなる保護層を設けるのが一般的である。特に、本件出願人が開発して特許出願している特開平１１−１９８３３２号公報に開示されたフェノール樹脂発泡体積層板は、保護層を形成する不織布を改良することによって接着性能を向上させたものであり、この不織布によってフェノール樹脂発泡体の強度を改善して、強度、断熱性共に優れた建築用断熱材料として提供されるものである。
【００３３】
上記の如くフェノール樹脂発泡体の表裏面に保護層を設けた積層板からなる断熱材は、端面（小口面）はフェノール樹脂基体面が露出した状態となっている。このため、表裏面は保護層を構成する不織布を利用して貼着テープや貼着シートを貼り付けることが可能である。
【００３４】
またフェノール樹脂発泡体の表裏面に不織布による保護層を設けた断熱材では、脆さが改善されて曲げ強度や引っ張り強度が向上する。このため、幅の狭い場所に配置されたとき、自立して、断熱材及び気密材としての機能を充分に発揮することが可能である。
【００３５】
上記断熱材は厚さを選択することによって１枚で充分な断熱性を発揮することが可能であり、複数枚を積層して用いても良い。梁で囲まれた空間に断熱材を配置する際に該空間の平面寸法と断熱材の平面寸法が異なる場合、前記空間には複数枚の断熱材が並べられて夫々が下地材に固定される。このため、隣接された断熱材の接合部に継目が形成される。
【００３６】
断熱材の継目は、断熱性や気密性を損なう虞があるため、金属フィルムや合成樹脂フィルムの一方の面に接着剤或いは粘着材を塗布して形成された気密テープで塞ぐことが好ましい。このように、断熱材の継目、断熱材と梁との継目、或いは断熱材と他の部材との継目を気密テープで塞ぐことで断熱性と気密性を向上させることが可能である。
【００３７】
しかし、継目に隙間が形成されるような場合、気密テープで塞いだとしても断熱性は損なわれることになる。この場合、２枚或いはそれ以上の比較的薄い断熱材を用意し、これらの断熱材を下地材に固定すると共に各層の断熱材の継目を異なる位置に設定することで、継目に隙間が形成された場合であっても、この隙間の影響を少なくすることが可能となる。
【００３８】
断熱材となる硬質プラスチック系断熱材が高い断熱性能を発揮するため、従来の繊維系断熱材と比較して薄することが可能となる。このため、断熱材の下面の位置を梁の下端よりも高くすることが可能となり、梁の下端部分が露出する。従って、この部分に断熱材を配置して覆うことで、断熱性能を発揮することが可能となる。
【００３９】
この場合、梁の下端部分を覆う断熱材は、硬質プラスチック系断熱材である必要はなく、軟質の発泡体からなる断熱材を用いることが可能である。特に、梁がＨ形鋼であるため、ウエブとフランジとを同時に覆うことが可能であることが好ましい。このため、梁の下端を覆う断熱材としては、成形体であることが好ましい。
【００４０】
次に本発明に係る天井の断熱構造の好ましい実施例について図を用いて説明し、合わせて固定金具について説明する。図１は天井の断熱構造の全体構成を説明する図である。図２は下地材の配置の例を示す図である。図３は要部を拡大して説明する図である。図４は固定金具の構成を説明する斜視図である。図５は天井の断熱構造を構成する手順を説明する図である。図６は天井の利用例を説明する図である。図７は天井の断熱構造の他の例を説明する図である。
【００４１】
先ず、図１により天井の断熱構造の全体構成について説明する。図に於いて、（ａ）は建物の外周部に配置された梁を中心として断熱構造を示し、（ｂ）は（ａ）のｂ矢視図を示し、（ｃ）は屋内側に配置された梁を中心とした断熱構造を示している。
【００４２】
住宅の屋根裏に対応する天井部分には、外周部に配置される梁１及び梁１に交差する梁２が配置されると共に柱３（図２参照）の柱頭部分に或いは直交する他の梁１，２に接続されている。梁１，２はフランジ１ａ，２ａ、ウエブ１ｂ，２ｂを有するＨ形鋼によって構成されている。
【００４３】
梁１，２の上側のフランジ１ａ，２ａに軽量気泡コンクリート（ＡＬＣ）パネルからなる複数の屋根パネル４が敷き並べられて固定されることで、屋根が構成されている。また建物の外周に対応する梁１，柱３に沿って軽量気泡コンクリート（ＡＬＣ）パネルからなる外壁パネル５が配置され、図示しない金具類によって梁１に取り付けられて外壁が構成されている。
【００４４】
屋根パネル４や外壁パネル５は、必ずしもＡＬＣパネルである必要はなく、コンクリートパネルを利用することも可能である。しかし、軽量で且つ高い断熱性能を発揮し得ることから、これらの部位をＡＬＣパネルによって構成することが好ましい。
【００４５】
次に、天井の断熱構造について説明する。建物の最上階の屋根に対応する部位は、図２に示すように、梁１，梁２によって囲まれた複数の空間Ａ，Ｂが形成される。これらの空間Ａ，Ｂの数は建物の広さや構造に応じて変化するものであり、一義的に設定されるものではない。また各空間Ａ，Ｂの広さも限定されるものではない。
【００４６】
各空間Ａ，Ｂに木製の少なくとも１個の下地材１０が配置されて所定の手段で固定されている。即ち、下地材１０は屋根パネル４の屋内側の面に直接釘やビス等の固定具で固定される場合があり、また本実施例のように、固定金具１１を介して梁１，２のウエブ１ｂ，２ｂに固定される場合もある。
【００４７】
固定金具１１は、前述したように空間Ａ，Ｂの所定位置に配置された下地材１０を支持する機能を有しており、図４に示すように、下地材１０を取り付ける上部片１１ａと、上部片１１ａと並行して配置された指示片１１ｂと、上部片１１ａと指示片１１ｂを接続し、且つ梁１，２のウエブ１ｂ，２ｂに固定される固定片１１ｃとを有する概略コ字状のピース金物として構成されている。
【００４８】
支持片１１ａは、図３に示すように、上面に下地材１０の端部を載置して下面側から釘やビス等の固定具１４を打ち込むことで、該下地材１０を取り付けるものである。このため、下地材１０を取り付けるのに充分な長さを持って形成されている。
【００４９】
指示片１１ｂは、下地材１０に断熱材１２を対向させたとき、該下地材１０が断熱材１２に隠れて作業員から見えなくなるため、この断熱材１２を下地材１０に座金１５ａ及び釘，ビス等の固定具１５ｂからなる固定部材１５によって固定する際の作業が困難になるという問題を解決する機能を有する。即ち、指示片１１ｂが上部片１１ａと並行しているため、断熱材１２を下地材１０に固定する際には、断熱材１２に於ける指示片１１ｂの上方の部位に固定部材１５を打ち込むことで、下地材１０が見えないにも関わらず、断熱材１２を容易に下地材１０に固定することが可能となる。
【００５０】
上記の如くして下地材１０に断熱材１２を固定したとき、指示片１１ｂは断熱材１２の下方に於ける梁１，２のフランジ１ａ，２ａに沿って空間Ａ，Ｂに突出する。このため、指示片１１ｂを利用して天井を構成する部材をつり下げたり、天井裏に設置される設備配管や配線を支持し得るようにすると好ましい。このため、本実施例では、指示片１１ｂに複数のボルト穴１１ｄを形成し、このボルト穴１１ｄを有効に利用し得るように構成されている。
【００５１】
固定片１１ｃの長さは、予め設定された断熱材１２の厚さよりも大きく、且つ梁１，２のフランジ１ａ，２ａ間の寸法よりも小さく設定されており、且つ上部片１１ａに下地材１０を取り付けたとき、該下地材１０の上面が梁１，２の上側のフランジ１ａ，２ａから突出することのない寸法を有している。従って、固定片１１ｃを梁１，２のウエブ１ｂ，２ｂに固定したとき、ウエブ１ｂ，２ｂに形成された穴１ｃ，２ｃの一部が上部片１１ａよりも上部に位置して空気の流通が可能なように構成されている。
【００５２】
特に、固定片１１ｃの長さが、梁１，２の下側のフランジ１ａ，２ａから規定されるため、上側のフランジ１ａ，２ａとの距離は下地材１０を配置し得る寸法であれば良い。例えば、建物の機種に対応させて、梁１，２のせいが複数種類存在する場合、固定片１１ｃの長さをせいの小さい梁に対応させておくことで、固定金具１１の共通化をはかることが可能である。
【００５３】
固定片１１ｃにも指示片１１ｂと同様にボルト穴１１ｄが形成されており、該ボルト穴１１ｃを利用してボルト１３ａ，ナット１３ｂによって梁１，２のウエブ１ｂ，２ｂに固定し得るように構成されている。
【００５４】
各空間Ａ，Ｂに配置される下地材１０の間隔は、断熱材１２の曲げ強度を含む機械的な強度に応じて設定される。即ち、曲げ強度の小さい断熱材を用いる場合には下地材１０の間隔を小さくする必要があり、強度が向上するのに従って間隔を大きくすることが可能である。
【００５５】
本実施例では、断熱材１２としてフェノール樹脂発泡体の表裏面に保護層を設けた積層板からなり、屋根から伝達される熱に対して充分に高い断熱性を発揮し得る厚さを持ったものが用いられる。この断熱材１２は、表裏面に不織布からなる保護層が形成されることによって充分に高い曲げ強度を発揮することが可能であり、長さ方向の少なくとも２個所を固定することで、目的の空間に安定した状態で設置することが可能である。
【００５６】
下地材１０の下面側には、屋根から伝達される熱に対して要求される断熱性能に応じた厚さを持った断熱材１２が取り付けられている。この断熱材１２を厚さ方向に１枚の断熱材構成しても、或いは２枚或いはそれ以上の数の断熱材で構成しても良く、複数枚の断熱材を用いた場合であっても合計した厚さが要求される断熱性能を満足し得れば良い。
【００５７】
断熱材１２は、下地材１０の下面側に当接され、固定部材１５を構成する座金１５ａを介して釘やビス等の固定具１５ｂを打ち込むことで、該下地材１０に固定されている。例えば１枚の断熱材１２を用いた場合には、単に、下地材１０の下面側に断熱材１２を当接させて下地材１０に対応する部位に固定具１５ｂを打ち込むことで固定される。
【００５８】
また２枚以上（例えば２枚）の断熱材１２を用いた場合には、下地材１０に対して固定された１層目の断熱材１２の更に下面に、２層目の断熱材１２が固定される。このとき、１層目の断熱材１２に継目が生じていた場合、２層目の断熱材１２で１層目の継目を閉鎖し得るように、各層の継目が同じ位置に集中しないように調整して、２層目の断熱材１２が座金１５ａ，固定具１５ｂによって下地材１０に固定される。
【００５９】
上記の如くして梁１，２で囲まれた空間Ａ，Ｂに断熱材１２を配置したとき、断熱材１２の下面は、梁１，２のフランジ１ａ，２ａよりも上方に位置する。このため、梁１，２の下側のフランジ１ａ，２ａ及びウエブ１ｂ，２ｂの下端側が露出することになり、露出した部分が熱橋となる虞がある。
【００６０】
梁１，２のフランジ１ａ，２ａには、フランジ１ａ，２ａを挟むスリット１７ａを有し、一方の先端部１７ｂが外壁パネル５に沿って配置された断熱材６の表面、或いは対向して設けた先端部１７ｂに、他方の先端部１７ｃが断熱材１２の表面に当接し得るように、断面形状が略Ｆ字状に形成された断熱材１７が装着されている。
【００６１】
従って、梁１，２は屋内側の全表面が断熱材６，１２，１７によって覆われることとなり、熱橋となる虞がない。
【００６２】
上記の如くして空間Ａ，Ｂに断熱材１２を配置して断熱性を確保したとき、屋根パネル４と断熱材１２の上面との間には通気層１８が形成され、各空間Ａ，Ｂに形成された通気層１８は、梁１，２のウエブ１ｂ，２ｂに形成された穴１ｃ，２ｃを介して互いに連通し、更に、外壁パネル５と該外壁パネル６に沿って配置された断熱材６との間に形成された通気層とも連通する。
【００６３】
また断熱材１２の下面と梁１，２のフランジ１ａ，２ａとの間にも空間１９が形成される。このため、下地パネル７の上端部分に連続させて、梁１，２のフランジ１ａ，２ａよりも下側に天井下地２０を構成したとき、該天井下地２０との間に従来よりも大きい寸法を持った空間１９が形成されることとなる。
【００６４】
次に、上記天井の断熱構造を構成する手順について図５により説明する。先ず、同図（ａ）に示すように、梁１，２のウエブ１ｂ，２ｂの予め設定された位置に対向させて固定金具１１を固定する。このとき、固定金具１１の固定片１１ｃに形成したボルト穴１１ｄとウエブ１ｂ，２ｂに形成された穴１ｃ，２ｃを利用してボルト１３ａを挿通すると共にナット１３ｂを締結することで固定する。梁１，２に固定した固定金具１１の上部片１１ａに下地材１０を渡し、上部片１１ａの下面側から固定具１４を打ち込んで取り付ける。尚、図にはボルト１３ａ，ナット１３ｂ、及び固定具１４を省略している。
【００６５】
次に、同図（ｂ）に示すように、１層目の断熱材１２を屋内側から梁１，２で囲まれた空間Ａ或いは空間Ｂに嵌め込み、下側から座金１５ａ，固定具１５ｂからなる固定部材１５で下地材１０に取り付ける。このとき、断熱材１２は透明ではないため、下地材１０に当接させたとき、この下地材１０は見えなくなる。しかし、上部片１１ａと並行な指示片１１ｂによって、下地材１０の存在位置が指示されるため、作業員は指示片１１ｂを視認して固定具１５ｂを打ち込むことで、断熱材１２を下地材１０に取り付けることが可能である。
【００６６】
複数の断熱材１２を下地材１２に取り付けることによって、隣接する断熱材１２の間に継目２１が形成される。この継目２１は断熱性能に支障を与える虞のある部位となる。
【００６７】
更に、同図（ｃ）に示すように、１層目の断熱材１２の下面に２層目の断熱材１２を配置する。このとき、１層目に形成された継目２１に対向する位置に再度継目２１が形成されることのないように、２層目の断熱材１２の取付位置を調整し、座金１５ａ及び固定部１５ｂからなる固定部材１５によって、１層目の断熱材１２を介して下地材１０に固定する。
【００６８】
上記の如くして下地材１０に２層に渡って断熱材１２を固定した後、固定部材１５及び継目２１に気密テープ８を貼り付けて気密性を保持する。
【００６９】
上記の如く構成された天井では、天井下地２０と断熱材１２との間に形成された空間１９の寸法が大きく、且つ梁１，２の下側のフランジ１ａ，２ａよりも上側、即ち、梁せいの範囲に空間が形成される。このため、この空間１９に、図６に示すように、例えば水道配管を構成するさや管２５を設置することが可能である。この場合、固定金具１１の指示片１１ｂに例えば合板からなる支持材２６を渡して該支持材２６にさや管２５を支持し得るように構成することが可能である。更に、前記支持材２６には、さや管２５のみならず、図示しない屋内の配線や他の設備配管を支持することも可能である。
【００７０】
また固定金具１１の指示片１１ｂに予め設定された形状を持った役物金具２７を固定して該役物金具２７によって天井下地２０を支持することも可能である。
【００７１】
また図７に示すように、１層目の断熱材１２を下地材１０の上側に、２層目の断熱材１２を下側に配置することで、梁１，２のフランジ１ａ，２ａと断熱材１２との間に形成された空間１９をより大きくすることも可能である。この場合、前記空間１９に天井設置型の冷暖房装置を組み込むことが可能となる。このように断熱材１２を複数の層とすることによって、空間１９の寸法を部分的に変化させることが可能となる。
【００７２】
【発明の効果】
以上詳細に説明したように本発明に係る天井の断熱構造では、天井に対応して構成された梁で囲まれた空間に複数の下地材を所定の間隔で配置すると共に、梁を構成する鉄骨或いは屋根を構成する屋根パネルに固定し、この下地材の下面側に硬質プラスチック系断熱材を取り付けることによって、屋根パネルの屋内側の面に通気層を形成することが出来、且つ下地材の下面側に取り付けた硬質プラスチック系断熱材の面を梁のフランジよりも高く設定することが出来る。従って、天井裏に於ける設備配管や配線を容易に施工することが出来る。
【００７３】
上記の如く、屋根パネルと硬質プラスチック系断熱材との間に通気層を形成することが出来るので、梁に形成された穴を介して隣接する他の空間との間に通気を確保することが出来る。
【００７４】
また天井に設けた断熱層の屋内側に設備配管や配線を設置することによって、これらの設備配管や配線を変更する際に断熱層を破壊する必要がなくなり、メンテナンス作業や変更作業が容易になる。
【００７５】
また下地材の下面に少なくとも２層に硬質プラスチック系断熱材を取り付けると共に、各層を構成する硬質プラスチック系断熱材の接続部を互いに異なる位置に設定することによって、硬質プラスチック系断熱材の接続部である継目が断熱層の厚さ方向に貫通することがなく、良好な断熱性を保持すると共に気密性を保持することが出来る。
【００７６】
また下地材の下面に取り付けた硬質プラスチック系断熱材の下側に於ける梁の露出部分を断熱材によって覆うことによって、梁が熱橋となることがなく、天井の断熱性を確保することが出来る。
【００７７】
硬質プラスチック系断熱材が高い気密性能を有するため、断熱層を構成することによって、気密層をも構成することが出来る。更に、硬質プラスチック系断熱材の取り付けが固定具や気密テープによって行われる乾式工法であり、解体する際に分別作業を容易に行うことが出来る。
【００７８】
また本発明に係る固定金具では、固定片を梁のウエブに於ける対向する位置に固定したとき、一方の梁に取り付けた固定金具の上部片と指示片が並行して突出し、これらの上部片と指示片が対向する。このため、対向する２つの上部片に木製の下地材を渡して固定し、この下地材に対し下側から硬質プラスチック系断熱材を取り付けることで、天井の断熱構造を実現することが出来る。
【００７９】
特に、下地材の下側面に硬質プラスチック系断熱材を当接したとき、該下地材が硬質プラスチック系断熱材に隠されたとしても、指示片が上部片と並行に形成されるため、該指示片の上方に釘やビスを打ち込むことで正確に固定することが出来る。更に、指示片の長さや強度を適宜設定しておくことで、該指示片によって天井裏に設置する設備配管や配線を支持することが出来る。
【図面の簡単な説明】
【図１】天井の断熱構造の全体構成を説明する図である。
【図２】下地材の配置の例を示す図である。
【図３】要部を拡大して説明する図である。
【図４】固定金具の構成を説明する斜視図である。
【図５】天井の断熱構造を構成する手順を説明する図である。
【図６】天井の利用例を説明する図である。
【図７】天井の断熱構造の他の例を説明する図である。
【図８】従来の天井の断熱構造を説明する図である。
【符号の説明】
Ａ，Ｂ　　　　　　　　　空間
１，２　　　　　　　　　梁
１ａ，２ａ　　　　　　　フランジ
１ｂ，２ｂ　　　　　　　ウエブ
１ｃ，２ｃ　　　　　　　穴
３　　　　　　　　　　　柱
４　　　　　　　　　　　屋根パネル
５　　　　　　　　　　　外壁パネル
６　　　　　　　　　　　断熱材
７　　　　　　　　　　　下地パネル
８　　　　　　　　　　　気密テープ
１０　　　　　　　　　　　下地材
１１　　　　　　　　　　　固定金具
１１ａ　　　　　　　　　　上部片
１１ｂ　　　　　　　　　　指示片
１１ｃ　　　　　　　　　　固定片
１１ｄ　　　　　　　　　　穴
１２　　　　　　　　　　　断熱材
１３ａ　　　　　　　　　　ボルト
１３ｂ　　　　　　　　　　ナット
１４　　　　　　　　　　　固定具
１５　　　　　　　　　　　固定部材
１５ａ　　　　　　　　　　座金
１５ｂ　　　　　　　　　　固定具
１７　　　　　　　　　　　断熱材
１７ａ　　　　　　　　　　スリット
１７ｂ，１７ｃ　　　　　　　先端部
１８　　　　　　　　　　　通気層
１９　　　　　　　　　　　空間
２０　　　　　　　　　　　天井下地
２１　　　　　　　　　　　継目
２５　　　　　　　　　　　さや管
２６　　　　　　　　　　　支持材
２７　　　　　　　　　　　役物金具
【図１】
2004076317.tif 000003
【図２】
2004076317.tif 000004
【図３】
2004076317.tif 000005
【図４】
2004076317.tif 000006
【図５】
2004076317.tif 000007
【図６】
2004076317.tif 000008
【図７】
2004076317.tif 000009
【図８】
2004076317.tif 000010